(57)【要約】【課題】ＬＥＤユニットが実装された基板の放熱性を向上させるとともに基板の絶縁性を確保できるＬＥＤ照明器具を提供する。【解決手段】ＬＥＤユニット３３を実装する基板３４は、熱伝導シート３７を介して器具本体３０に取り付けられる。このとき、熱伝導シート３７が、基板３４のシート本体３７１（一面）のみならず、基板３４の端面３４３および基板３４における熱伝導シート３７とは反対側の面３４１における縁部を覆う。このため、熱伝導シート３７と基板３４との接触面積を増すことができる。これにより、基板３４から熱伝導シート３７を介して放熱される放熱性を向上させることができる。また、熱伝導シート３７は、基板３４の一面３７１から端面３７２を経て他面３４１まで達するので、基板３４に対して移動しない。これに伴い、基板３４と器具本体３０との間の絶縁距離が長くなるので、基板３４の絶縁性を確保できる。【選択図】図３
2013258082.tif 000002
【特許請求の範囲】
【請求項１】
ＬＥＤユニットと、
前記ＬＥＤユニットを実装する基板と、
前記基板を熱伝導シートを介して取り付ける器具本体と、を有し、
前記熱伝導シートが、基板の端面を覆い、かつ、基板における熱伝導シートとは反対側の面における縁部を覆うＬＥＤ照明器具。
【請求項２】
請求項１に記載のＬＥＤ照明器具であって、
熱伝導シートにおける前記基板とは反対側に突出する凸部と、
前記器具本体に設けられ、前記凸部が係合する凹部とを備えるＬＥＤ照明器具。
【発明の詳細な説明】
【技術分野】
【０００１】
本発明は、ＬＥＤユニットを実装した基板を、熱伝導シートを介して支持するＬＥＤ照明器具に関するものである。
【背景技術】
【０００２】
従来より、ＬＥＤユニットを実装した基板を、熱伝導シートを介して器具本体に取り付けるＬＥＤ照明器具が知られている（例えば、特許文献１参照）。
図５に示すように、特許文献１に記載のＬＥＤ照明器具１００は例えばスポットライトであり、ＬＥＤユニット（半導体発光素子）１０１およびＬＥＤユニット１０１を支持する基板１０２を有する。さらに、ＬＥＤ照明器具１００は、基板１０２を支持する放熱体１０３、基板１０２を支持すると共に放熱機能を有する反射体１０４、これら基板１０２、反射体１０４および放熱体１０３を支持する器具本体（本体ケース）１０５を有する。また、反射体１０４の前方には、透光体１０８が取り付けられている。
【０００３】
基板１０２の上面は、板状の熱伝導シート１０６を介して、放熱体１０３の下面に取り付けられる。また、基板１０２の下面は、ＬＥＤユニット１０１からの光を遮らない部分において、板状の熱伝導シート１０７を介して反射体１０４の上面に取り付けられる。
従って、基板１０２は、２枚の熱伝導シート１０６、１０７で挟まれており、放熱性の向上を図っている。
【先行技術文献】
【特許文献】
【０００４】
【特許文献１】特開２００９−１２９８０９号公報（第２図）
【発明の概要】
【発明が解決しようとする課題】
【０００５】
しかしながら、前述したＬＥＤ照明器具１００においては、基板１０２の上下面に、各々板状の熱伝導シート１０６、１０７が接触しており、基板１０２の端面には接触していない。このため、一層の放熱性の向上が望まれる。
また、２枚の熱伝導シート１０６、１０７は各々独立した別部材であり、基板１０２に対してずれるおそれがあるため、熱伝導シート１０６、１０７による絶縁性確保に問題があった。
【０００６】
本発明は、従来の問題を解決するためになされたもので、ＬＥＤユニットが実装された基板の放熱性を向上させるとともに基板の絶縁性を確保できるＬＥＤ照明器具を提供することを目的とする。
【課題を解決するための手段】
【０００７】
本発明のＬＥＤ照明器具は、ＬＥＤユニットと、前記ＬＥＤユニットを実装する基板と、前記基板を熱伝導シートを介して取り付ける器具本体と、を有し、前記熱伝導シートが、基板の端面を覆い、かつ、基板における熱伝導シートとは反対側の面における縁部を覆うものである。
【０００８】
また、本発明のＬＥＤ照明器具は、熱伝導シートにおける前記基板とは反対側に突出する凸部と、前記器具本体に設けられ、前記凸部が係合する凹部とを備えるものである。
【発明の効果】
【０００９】
本発明では、ＬＥＤユニットを実装する基板を覆う熱伝導シートが、基板の一面のみならず、基板の端面および基板における熱伝導シートとは反対側の面における縁部を覆うので、熱伝導シートと基板との接触面積を増すことができる。これにより、基板から熱伝導シートを介して放熱される放熱性を向上させることができる。また、熱伝導シートは、基板の一面から端面を経て他面まで達するので、基板に対して移動しない。このため、基板の絶縁性を確保できるという効果を有するＬＥＤ照明器具を提供できる。
【図面の簡単な説明】
【００１０】
【図１】本発明に係る実施形態のＬＥＤ照明器具の分解斜視図
【図２】図１中ＩＩ部分の拡大断面図
【図３】図２中ＩＩＩ部分の拡大図
【図４】（Ａ）は熱伝導シートを上方から見た斜視図であり、（Ｂ）は下方から見た斜視図
【図５】従来のＬＥＤ照明器具の分解断面図
【発明を実施するための形態】
【００１１】
以下、本発明に係る実施形態のＬＥＤ照明器具について、図面を用いて詳細に説明する。
図１に示すように、本発明に係る実施形態のＬＥＤ照明器具１０は、被取付部である天井面（図示省略）に埋め込んで取付けられて、例えば、下方を照明するダウンライトとして用いることができる。
【００１２】
ＬＥＤ照明器具１０は、天井面に取り付けられる枠体２０と、枠体２０に支持される器具本体３０を有する。
枠体２０は、天井面の取付孔に嵌め込まれる円筒形状の枠体本体２１を有し、枠体本体２１の下端には、天井下面に当接して下方に露出する鍔部２２を有する。枠体本体２１の外面には、枠体２０を天井面１１に取り付けるための取付ばね２３が、所定間隔で複数個（例えば、３個）設けられている。取付ばね２３は、常時下方（図１中矢印Ａ方向）へ付勢されている。
従って、鍔部２２と取付ばね２３との間に天井面を挟むことにより、枠体２０を天井面に固定する。
【００１３】
器具本体３０は、上部に多数の放熱フィン３１を有する。
従って、後述するＬＥＤユニット３３が発した熱は、器具本体３０の放熱フィン３１に伝達されて放熱される。
また、器具本体３０の上部には、ＬＥＤユニット３３に点灯電力を供給する電源装置３２が取り付けられる。
【００１４】
器具本体３０の下面３０１には、枠体２０が取り付けられる。
光源であるＬＥＤユニット３３を実装面（反対側面）３４１に実装した基板３４（図２参照）およびＬＥＤユニット３３からの光を所定の方向に反射する反射板３５は、枠体２０を器具本体３０に取り付けることにより、位置決めされる。また、基板３４は器具本体と電気的に接続される。なお、反射板３５の照射方向（下方）には透光体３６が取り付けられる。
従って、電源装置３２から基板３４に点灯電力を供給することにより、ＬＥＤユニット３３が発光し、反射板３５および透光体３６を通って、主に下方を照明する。
【００１５】
図２および図３に示すように、基板３４は絶縁性を有する熱伝導シート３７を介して器具本体３０の下面３０１に取り付けられる。
図３および図４（Ａ）、（Ｂ）に示すように、熱伝導シート３７は、基板３４における実装面３４１と反対側の上面３４２を覆う円板状のシート本体３７１と、基板３４の端面３４３を覆うシート外周部３７２と、実装面３４１における縁部を覆うシート下部３７３を有する。
【００１６】
従って、基板３４の熱は、基板の上面３４２、端面３４３および実装面３４１の縁部から熱伝導シート３７に伝達される。
また、基板３４の外周部が熱伝導シート３７により抱え込まれるので、基板３４は、熱伝導シート３７に対して移動しない。
さらに、基板３４と器具本体３０との絶縁距離は、図３および図４（Ｂ）中矢印Ａで示すように、シート下部３７３の内周面３７５からシート下部３７３の下面およびシート外周部３７２の外周面を経て、シート本体３７１の上面を通って器具本体３０に達する。このため、基板３４と器具本体３０との間の絶縁距離が長くなる。
【００１７】
図４（Ａ）に示すように、熱伝導シート３７におけるシート本体３７１の上面には、複数個（ここでは、例えば２個）の凸部３７４が器具本体３０側に突出して設けられている。なお、凸部３７４の形状は限定するものではなく、角柱でも円柱でも可能である。
一方、器具本体３０の下面３０１には、熱伝導シート３７の凸部３７４が嵌合する凹部３０２が設けられている（図１および図２参照）。
【００１８】
従って、基板３４を器具本体３０の下面３０１に取り付けると、熱伝導シート３７の凸部３７４が、器具本体３０の下面３０１の凹部３０２に嵌合する。これにより、熱伝導シート３７は、器具本体３０に対して位置決めされるとともに、移動が防止されてずれない。
さらに、基板３４の縁部が、熱伝導シート３７によって上下から抱え込まれているので、基板３４は熱伝導シート３７に対して移動しない。このため、基板３４は器具本体３０に対して移動しない。
【００１９】
一方、反射板３５は枠体２０に取り付けられ、枠体２０は器具本体３０に取り付けられるので、反射板３５は器具本体３０に対して位置決めされる。
これにより、基板３４すなわちＬＥＤユニット３３と反射板３５との相対的な位置関係が決定されるとともに相対的にずれないので、ＬＥＤユニット３３が反射板３５に対してずれることによって生じる光学特性のばらつきが減少する。
【００２０】
以上、説明した本発明に係る実施形態のＬＥＤ照明器具１０によれば、ＬＥＤユニット３３を実装する基板３４は、熱伝導シート３７を介して器具本体３０に取り付けられる。
このとき、熱伝導シート３７が、基板３４のシート本体３７１の上面のみならず、基板３４の端面３４３および基板３４における熱伝導シート３７とは反対側の面（すなわち実装面３４１）における縁部を覆う。
これにより、熱伝導シート３７と基板３４との接触面積を増すことができ、基板３４から熱伝導シート３７を介して放熱する放熱性を向上させることができる。
【００２１】
また、熱伝導シート３７は、シート本体３７１およびシート外周部３７２および実装面３４１によって基板の縁部を抱え込むので、基板３４に対して移動しない。
これに伴い、基板３４と器具本体３０との間の絶縁距離が長くなるので、基板３４の絶縁性を確保できる。
さらに、熱伝導シート３７による熱伝導性および絶縁性の改善に伴い、器具本体３０の堆積を小さくして、ＬＥＤ照明器具１０のコンパクト化を図ることが可能になる。
【００２２】
また、熱伝導シート３７に、基板３４とは反対側に突出する凸部３７４を設けるとともに、凸部３７４が係合する凹部３０２を器具本体３０に設けたので、熱伝導シート３７の器具本体３０に対する位置決めを図って、ずれを防止することができる。
これにより、放熱性および絶縁性を確保することができる。
【００２３】
なお、本発明のＬＥＤ照明器具は、前述した実施形態に限定されるものでなく、適宜な変形、改良等が可能である。
例えば、前述した実施形態において、熱伝導シート３７に設けた凸部３７４および器具本体３０に設けた凹部３０２は、相互に嵌合可能であれば、外形および数は限定するものではない。
【符号の説明】
【００２４】
１０  ＬＥＤ照明器具
３０  器具本体
３０２  凹部
３３  ＬＥＤユニット
３４  基板
３４１  実装面（反対側の面）
３４３  端面
３７  熱伝導シート
３７４  凸部
【図１】
2013258082.tif 000003
【図２】
2013258082.tif 000004
【図３】
2013258082.tif 000005
【図４】
2013258082.tif 000006
【図５】
2013258082.tif 000007